(57)【要約】【課題】走行中におけるユーザの操作回数を低減させつつも、ユーザの所望する機能を動作させること。【解決手段】階層化された複数のメニュー画面に含まれるメニュー画面を表示手段に表示し、表示した前記メニュー画面上に配列されたメニュー項目の選択を促す車載用電子機器において、前記メニュー項目には、少なくとも、対応付けられた下位の階層のメニュー画面を前記表示手段に表示するための階層項目と、前記車載用電子機器における機能を実行するための機能項目と、があり、前記車載用電子機器は、更に、車両が停車中か否かを判定する停車判定手段と、前記停車判定手段により停車中でないと判定された状態で、前記階層項目が選択された場合、該階層項目に対応付けられたメニュー画面を表示できなくする階層制限手段と、を備えることを特徴とする。【選択図】図１
2011174815.tif 000002
【特許請求の範囲】
【請求項１】
階層化された複数のメニュー画面に含まれるメニュー画面を表示手段に表示し、表示した前記メニュー画面上に配列されたメニュー項目の選択を促す車載用電子機器において、
前記メニュー項目には、少なくとも、対応付けられた下位の階層のメニュー画面を前記表示手段に表示するための階層項目と、前記車載用電子機器における機能を実行するための機能項目と、があり、
前記車載用電子機器は、更に、車両が停車中か否かを判定する停車判定手段と、
前記停車判定手段により停車中でないと判定された状態で、前記階層項目が選択された場合、該階層項目に対応付けられたメニュー画面を表示できなくする階層制限手段と、を備えることを特徴とする車載用電子機器。
【請求項２】
前記階層制限手段は、前記停車判定手段により停車中でないと判定された状態で、前記階層項目が配列されていないメニュー画面に対応付けられた階層項目が選択された場合、該階層項目に対応付けられたメニュー画面を表示できなくすることを特徴とする請求項１に記載の車載用電子機器。
【請求項３】
階層化された複数のメニュー画面に含まれるメニュー画面を表示手段に表示し、表示した前記メニュー画面上に配列されたメニュー項目の選択を促す車載用電子機器において、
前記メニュー項目には、少なくとも、対応付けられた下位の階層のメニュー画面を前記表示手段に表示するための階層項目と、前記車載用電子機器における機能を実行するための機能項目と、があり、
前記車載用電子機器は、更に、車両が停車中か否かを判定する停車判定手段と、
前記停車判定手段により停車中でないと判定された状態で、前記階層項目が選択された場合、該階層項目に対応付けられたメニュー画面に配列された前記機能項目が選択されたとみなすことを特徴とする車載用電子機器。
【請求項４】
前記階層制限手段は、前記停車判定手段により停車中でないと判定された状態で、前記階層項目が配列されていないメニュー画面に対応付けられた階層項目が選択された場合、該階層項目に対応付けられたメニュー画面に配列された前記機能項目が選択されたとみなすことを特徴とする請求項３に記載の車載用電子機器。
【発明の詳細な説明】
【技術分野】
【０００１】
本発明は、車両に搭載されて使用される車載用電子機器に関し、特に、走行中におけるユーザの操作回数を低減させつつも、ユーザの所望する機能を動作させることができる車載用電子機器に関する。
【背景技術】
【０００２】
車両等に搭載されて使用されるカーナビゲーション装置は、ＧＰＳ衛星からの信号を受信することによって車両の現在位置を特定し、特定した現在位置を地図上に表示してユーザに案内するものである。また、出発地や目的地を経路探索条件として入力し、この経路探索条件を満たすように経路探索を行うことによってその間の最適経路を特定し、最適経路を地図上に表示し、この経路に沿って経路案内を行っている。
【０００３】
また、カーナビゲーション装置、音楽プレーヤー、ＤＶＤプレーヤー、アナログ放送やデジタル放送に対応したテレビジョン受信機など各種の電子機器が小型化され、携帯可能な装置として、あるいは車載用の装置として提供されている。特に車載用としては、上記の各種機能を複合して備えた電子機器も提供されている。
【０００４】
このようなカーナビゲーション装置などの車載用電子機器は、階層化された複数のメニュー画面を保持し、メニュー画面上で操作を行うことで、次の階層（下位の階層）へ進み、下位の階層のメニュー画面に含まれる機能が対応付けられた項目を選択することにより、当該項目に対応付けられた機能を動作させることができる。
【０００５】
なお、カーナビゲーション装置などの車載用電子機器は、運転中、すなわち、車両の走行中には、操作に一定の制限が設けられている場合が多い。これは、ユーザが操作のために表示画面を注視することにより、車両の前方確認が疎かになってしまうのを防ぐためである。
【０００６】
しかしながら、走行中において、車載用電子機器の機能を制限してしまうと、ユーザの要求を満たすことができず、車載用電子機器の利便性が低下してしまうなどの課題があった。
【０００７】
そこで、上記課題を解決するために、下記の特許文献１（特開２００３−１６１６３２号公報）は、車両が走行中であると検出すると、連続して入力操作できる回数を所定回数とし、所定回数の入力操作が行われると、所定時間は全ての入力操作を無効とし、所定時間経過後、再度、所定回数の入力操作を有効とする車載用情報機器の入力装置を開示しており、これにより、走行中において入力操作に熱中してしまうことを防止している。
【０００８】
また、下記の特許文献２（特開２００３−２９８９３号公報）は、使用される頻度の高いメニュー項目又は設定項目をショートカットとしてトップメニューに表示させることで、下位の階層にあるメニュー項目又は設定項目の入力操作を容易にし、使い勝手が向上した入力装置を開示している。
【先行技術文献】
【特許文献】
【０００９】
【特許文献１】特開２００３−１６１６３２号公報
【特許文献２】特開２００３−２９８９３号公報
【発明の概要】
【発明が解決しようとする課題】
【００１０】
しかしながら、上記特許文献１では、連続して入力操作できる回数を制限しているが、全体の操作回数は変わっていないので、ユーザが操作のために表示画面を注視する時間を分散しているに過ぎず、表示画面を注視する時間を低減させるという根本的な課題の解決には至っていない。
【００１１】
また、比較的操作回数が少ない操作であっても、所定回数よりも操作回数が多い場合は、所定時間の間、操作を待たなければならず、早急に特定の機能を動作させたい場合などであっても、機能を動作させるまでに時間がかかってしまい車載用電子機器の利便性が低下してしまう。
【００１２】
また、上記特許文献２では、ショートカットとしてトップメニューに項目を表示しているが、ショートカットとしてトップメニューに表示する項目の数には限りがあり、全ての項目をトップメニューに表示できないため、下位の階層にある項目を選択するためには、複数回の操作が必要となってしまう。
【００１３】
そこで、本発明は、走行中におけるユーザの操作回数を低減させつつも、ユーザの所望する機能を動作させることができる車載用電子機器の提供を目的とする。
【課題を解決するための手段】
【００１４】
上記課題を解決するために、本願請求項１にかかる発明は、階層化された複数のメニュー画面に含まれるメニュー画面を表示手段に表示し、表示した前記メニュー画面上に配列されたメニュー項目の選択を促す車載用電子機器において、前記メニュー項目には、少なくとも、対応付けられた下位の階層のメニュー画面を前記表示手段に表示するための階層項目と、前記車載用電子機器における機能を実行するための機能項目と、があり、前記車載用電子機器は、更に、車両が停車中か否かを判定する停車判定手段と、前記停車判定手段により停車中でないと判定された状態で、前記階層項目が選択された場合、該階層項目に対応付けられたメニュー画面を表示できなくする階層制限手段と、を備えることを特徴とする。
【００１５】
また、本願請求項２にかかる発明は、請求項１に記載の車載用電子機器において、前記階層制限手段は、前記停車判定手段により停車中でないと判定された状態で、前記階層項目が配列されていないメニュー画面に対応付けられた階層項目が選択された場合、該階層項目に対応付けられたメニュー画面を表示できなくすることを特徴とする。
【００１６】
また、本願請求項３にかかる発明は、階層化された複数のメニュー画面に含まれるメニュー画面を表示手段に表示し、表示した前記メニュー画面上に配列されたメニュー項目の選択を促す車載用電子機器において、前記メニュー項目には、少なくとも、対応付けられた下位の階層のメニュー画面を前記表示手段に表示するための階層項目と、前記車載用電子機器における機能を実行するための機能項目と、があり、前記車載用電子機器は、更に、車両が停車中か否かを判定する停車判定手段と、前記停車判定手段により停車中でないと判定された状態で、前記階層項目が選択された場合、該階層項目に対応付けられたメニュー画面に配列された前記機能項目が選択されたとみなすことを特徴とする。
【００１７】
また、本願請求項４にかかる発明は、請求項３に記載の車載用電子機器において、前記階層制限手段は、前記停車判定手段により停車中でないと判定された状態で、前記階層項目が配列されていないメニュー画面に対応付けられた階層項目が選択された場合、該階層項目に対応付けられたメニュー画面に配列された前記機能項目が選択されたとみなすことを特徴とする。
【発明の効果】
【００１８】
本願請求項１にかかる発明によると、走行中に、階層項目が選択された場合、メニュー画面が表示されないため、それ以上の操作が行えず、走行中におけるユーザの操作回数を低減させることができる。また、機能項目が選択された場合では、車載用電子機器における機能が実行されるため、ユーザの所望する機能を動作させることができる。
【００１９】
本願請求項２にかかる発明によると、走行中に、階層項目が配列されていないメニュー画面に対応付けられた階層項目が選択された場合、メニュー画面が表示されないため、それ以上の操作が行えず、走行中におけるユーザの操作回数を低減させることができる。また、機能項目が選択された場合では、車載用電子機器における機能が実行されるため、ユーザの所望する機能を動作させることができる。
【００２０】
本願請求項３にかかる発明によると、走行中に、階層項目が選択された場合、階層項目に対応付けられたメニュー画面に配列された機能項目が選択されたとみなすため、走行中におけるユーザの操作回数を低減させつつも、ユーザの所望する機能を動作させることができる。
【００２１】
本願請求項４にかかる発明によると、走行中に、階層項目が配列されていないメニュー画面に対応付けられた階層項目が選択された場合、階層項目に対応付けられたメニュー画面に配列された機能項目が選択されたとみなすため、走行中におけるユーザの操作回数を低減させつつも、ユーザの所望する機能を動作させることができる。
【図面の簡単な説明】
【００２２】
【図１】本発明の実施例に係るナビゲーション装置１０の内部ブロック図である。
【図２】本発明の実施例にかかるナビゲーション装置１０の制御動作を示すフローチャートである。
【図３】階層化されたメニュー画面を説明するための概念図である。
【図４】表示手段１０６に表示されるメニュー画面の一例である。
【図５】表示手段１０６に表示されるメニュー画面の一例である。
【発明を実施するための形態】
【００２３】
以下、本願発明を実施するための最良の形態を実施例と共に図１〜図５を参照して詳細に説明する。ただし、以下に示す実施形態は、本発明の技術的思想を具体化するためのナビゲーション装置を例示して説明するものであって、本発明をこのナビゲーション装置に特定することを意図するものではなく特許請求の範囲に示した技術思想を逸脱することなくその他の車載用電子機器にも等しく適用し得るものである。
【実施例】
【００２４】
最初に、図１を参照して本発明の実施例に係るナビゲーション装置１０について説明する。なお、図１は、本発明の実施例に係るナビゲーション装置１０の内部ブロック図である。
【００２５】
ナビゲーション装置１０は、制御手段１００、現在位置検出手段１０１、地図記憶手段１０２、経路探索手段１０３、経路案内手段１０４、入力手段１０５、表示手段１０６、音声出力手段１０７、停車判定手段１０８、階層制限手段１０９、楽曲記憶手段１１０、楽曲再生手段１１１、メニュー画面記憶手段１１２、画面生成手段１１３を備えて構成される。
【００２６】
制御手段１００は、図示しないＣＰＵ、ＲＯＭ、ＲＡＭを含むマイクロプロセッサから構成され、ＲＯＭに記憶されたプログラムをＣＰＵにおいて実行することによりナビゲーション装置１０の各部の動作を制御する。
【００２７】
現在位置検出手段１０１は、地球上空を周回している複数のＧＰＳ衛星から、各ＧＰＳ衛星の位置情報及び時刻情報を含むＧＰＳ信号を受信するＧＰＳ受信機などを含んで構成され、受信したＧＰＳ信号に基づき、ナビゲーション装置１０の現在位置を検出する。また、現在位置検出手段１０１は、加速度センサ、ジャイロセンサ、車速センサなどの各種センサの出力を用いて現在位置を推測する自律航法機能を備えてもよく、自律航法機能を備えることによりトンネル内などのＧＰＳ信号が受信できない場合でも、現在位置を検出することが可能となる。
【００２８】
地図記憶手段１０２は、道路の分岐地点等の結節点をノードとする道路ノードデータと、それぞれのノード間を結ぶ経路をリンクとした道路リンクデータと、地図画像と、を含む地図情報を記憶する。道路ノードデータには、道路ノード番号、位置座標、接続リンク本数、分岐地点名称等が含まれる他、分岐地点から所定距離だけ離れた案内地点において、右左折、直進等をメッセージや音声でガイダンスするためのガイダンスデータ及び案内地点の位置座標が記憶される。
【００２９】
また、道路リンクデータには、始点及び終点となる道路ノード番号、道路種別、ノード間の距離情報であるリンク長（リンクコスト）、所要時間、車線数、車道幅などが含まれる。道路リンクデータには、さらに、リンク属性として橋、トンネル、踏切、料金所等のデータが付与される。道路種別とは、高架道路と高架下道路との別、高速道路や有料道路の別、国道や都道府県道等の別を含む情報である。
【００３０】
また、地図情報には、駐車場やガソリンスタンドなどの施設毎の施設情報も記憶されている。施設情報には、○○支店などの施設の名称、位置座標、営業時間、ガソリンスタンドや駐車場などの施設の種別、ランドマークなどの施設の画像などが含まれている。また、施設の種別より細分化された施設の事業社（銘柄、ブランド）の情報も含まれる。以下の説明では、施設の種別として「コンビニ」及び「ガソリンスタンド」が、施設の事業者として「コンビニ＜１＞」及び「コンビニ＜２＞」が例示されている。
【００３１】
経路探索手段１０３は、ユーザが入力手段１０５を用いて目的地を入力すると、地図記憶手段１０２に記憶されている地図情報を参照し、現在位置又はユーザによって指定された出発地から目的地に至る最適経路を探索するものである。
【００３２】
最適経路の探索は、現在位置又は出発地に対応する道路ノードから目的地に対応する道路ノードまでに至るリンクとノードをダイクストラ法等の各種の手法によって探索し、リンク長（リンクコスト）や所要時間等を累積し、総リンク長（走行距離）又は総所要時間等が最短となる経路を最適経路とし、当該経路に属する道路ノードやリンクを最適経路データとして提供するものである。
【００３３】
経路案内手段１０４は、経路探索手段１０３によって提供された最適経路データと、現在位置検出手段１０１によって検出された現在位置とを比較し、現在位置において必要とされるガイダンスを表示手段１０６に表示、或いは、音声出力手段１０７から音声出力する。
【００３４】
入力手段１０５は、ユーザ等によって操作される各種キー、スイッチ、タッチパネル等から構成されるものであり、例えば、経路探索時に目的地や経由地等を入力するためや、ナビゲーション装置１０における各種設定を行うために用いられる他、本願発明においては、後述する表示手段１０６に表示されたメニュー画面上に配列された各種メニュー項目のうち、所望のメニュー項目を選択するのに用いられる。
【００３５】
表示手段１０６は、地図画像やメニュー画面を表示するためのものであり、液晶ディスプレイなどで構成される。なお、この表示手段１０６は、タッチセンサを備えることで入力手段１０５としても機能させることができ、この場合、表示手段１０６に表示されたメニュー画面上に配列された各種メニュー項目が夫々選択可能なアイコンとなっている。
【００３６】
音声出力手段１０７は、ナビゲーション装置１０における各種音声ガイダンスの報知を行う。
【００３７】
停車判定手段１０８は、現在位置検出手段１０１に含まれる加速度センサ、ジャイロセンサ、車速センサなどの各種センサの出力を用いて車両が停車しているか否かを判定する。すなわち、加速度センサ、ジャイロセンサの出力が所定の値より小さい場合、又は、車速センサの出力が０の場合などに停車と判定する。また、その他にも、エンジンのＯＮ、ＯＦＦを検出し、エンジンＯＦＦを検出すると、停車と判定してもよい。
【００３８】
階層制限手段１０９は、停車判定手段１０８により停車していないと判定された場合、すなわち、走行中と判定された場合、階層化された複数のメニュー画面における階層を制限する処理を行なう。階層を制限する処理については後述する。
【００３９】
楽曲記憶手段１１０は、楽曲を記憶するハードディスクドライブなどの記憶媒体で構成され、楽曲データなどを記憶する。この楽曲データは予め記憶されていてもよいし、図示しない通信手段などを介して取得することもできる。なお、楽曲データには、アルバム名やアーティスト名や楽曲の名称（タイトル）などの情報が含まれており、楽曲記憶手段１１０には、アルバム名別やアーティスト名別に楽曲データが分類されて記憶される。以下の説明では、アルバム名として「アルバム＜１＞」及び「アルバム＜２＞」が、楽曲の名称として、「トラック＜１＞」及び「トラック＜２＞」が例示されている。なお、アルバム名やアーティスト名や楽曲の名称は、入力手段１０５を介してユーザにより入力・編集されてもよい。
【００４０】
楽曲再生手段１１１は、楽曲記憶手段１１０に記憶された楽曲データを再生し、音声出力手段１０７を介して音声出力する。
【００４１】
メニュー画面記憶手段１１２には、階層化された複数のメニュー画面が記憶されており、画面生成手段１１３は、メニュー画面記憶手段１１２に記憶されたメニュー画面を読み出し、表示手段１０６に表示する。また、画面生成手段１１３は、楽曲記憶手段１１０に新たな楽曲データが記憶された場合、楽曲データに含まれる情報（楽曲の名称等）に基づいて、メニュー画面を書き換える。すなわち、楽曲データに含まれる楽曲の名称などに基づき、当該楽曲データに対応付けられたメニュー項目を含むようメニュー画面を生成し、メニュー画面記憶手段１１２に記憶させる。なお、楽曲データに限らず、他のデータについても新たに追加された場合もメニュー画面を生成する。
【００４２】
ここで、メニュー画面には、１以上のメニュー項目が配列されており、例えば、図４に示すメニュー画面では、ナビゲーション装置１０における各種設定を行う際にユーザにより選択されるメニュー項目４０３と、経路探索時の目的地設定の際にユーザにより選択されるメニュー項目４０４が配列されている。これらメニュー項目については、上述したとおり、表示手段１０６にタッチセンサが備えられている場合はメニュー画面上のメニュー項目が夫々選択アイコンとして機能するため、ユーザがメニュー画面上のアイコン（メニュー項目）に直接触れることで選択が可能なものとなっている。
【００４３】
また、メニュー項目には、少なくとも、選択されることにより、選択されたメニュー項目に対応付けられた下位の階層のメニュー画面を表示手段１０６に表示させるためのメニュー項目と、選択されることにより、選択されたメニュー項目に対応したナビゲーション装置１０における機能を実行させるためのメニュー項目と、があり、以下の説明では、選択されることにより、選択されたメニュー項目に対応付けられた下位の階層のメニュー画面を表示手段１０６に表示させるためのメニュー項目を「階層項目」とし、選択されることにより、選択されたメニュー項目に対応したナビゲーション装置１０における機能を実行させるためのメニュー項目を「機能項目」として説明を行う。なお、ここで、ナビゲーション装置１０における機能を実行させるための機能項目とは、詳細には、機能項目を選択することにより、例えば、楽曲再生手段１１１により楽曲データが再生される（オーディオ機能）、所望の地点が目的地として設定される（目的地設定）、経路探索手段１０３により最適経路が探索される（経路探索）などの機能が実行されるメニュー項目である。
【００４４】
また、楽曲データの再生を行なうと共に楽曲データの再生、一時停止、早送り、巻き戻しなどの操作を行うメニュー画面を表示する場合、すなわち、１つのメニュー項目が、「階層項目」と「機能項目」の両方を兼ねている場合があるが、このようなメニュー項目は、本実施例では、「機能項目」として説明する。
【００４５】
また、メニュー項目（階層項目）が選択されると、選択されたメニュー項目（階層項目）に対応付けられたメニュー画面が表示されるが、本実施例における、メニュー画面の表示とは、現在、表示している上位の階層のメニュー画面から当該対応付けられた下位の階層のメニュー画面への遷移であり、さらに、現在、表示している上位の階層のメニュー画面に重畳して、当該対応付けられた下位の階層のメニュー画面を表示する場合も含む。
【００４６】
なお、図３における階層Ｋ１〜Ｋ５において、現在、表示しているメニュー画面が階層Ｋ２にある場合、下位の階層のメニュー画面とは、例えば、階層Ｋ３にあるメニュー画面であるが、下位の階層のメニュー画面は、これに限らず、例えば、階層が上位であっても、現在、表示しているメニュー画面に配列された階層項目に対応付けられたメニュー画面であって、現在、表示しているメニュー画面が対応付けられた階層項目が配列されていないメニュー画面であれば下位の階層のメニュー画面に含めてもよい。すなわち、現在、表示しているメニュー画面を表示する際に選択した階層項目が配列されたメニュー画面以外のメニュー画面を下位の階層のメニュー画面に含めてもよい。
【００４７】
ここで、図３を用いて階層化されたメニュー画面について説明する。
【００４８】
図３において、メニュー画面の階層は、最上位の階層Ｋ１から最下位の階層Ｋ５まで５段階に分かれている。
【００４９】
なお、通常ナビゲーション装置１０において、「ＡＶ」及び「メニュー」二つのメニュー項目については、装置本体にハードキーとして設けられているものであるが、本願発明においては、これら二つのメニュー項目についても表示手段１０６に表示されるメニュー画面から選択されるものとして説明を行う。
【００５０】
最上位の階層Ｋ１には、「ＡＶ」及び「メニュー」の二つのメニュー項目（Ｋ１Ａ、Ｋ２Ｂ）が配列されたメニュー画面（Ｇ１Ａ）がある。なお、本実施例では、最上位のメニュー画面（Ｇ１Ａ）には、画面生成手段１１３により、現在位置に基づいた地図情報が地図記憶手段１０２から読み出され、読み出した地図情報に基づき地図画像及び現在位置を示すマークが表示されており、この地図画像に重畳されて「ＡＶ」及び「メニュー」のメニュー項目（Ｋ１Ａ、Ｋ１Ｂ）が配列されている。
【００５１】
次に、階層Ｋ１の下位の階層Ｋ２には、「ＡＶ」のメニュー項目（Ｋ１Ａ）に対応付けられたメニュー画面（Ｇ２Ａ）及び「メニュー」のメニュー項目（Ｋ１Ｂ）に対応付けられたメニュー画面（Ｇ２Ｂ）があり、メニュー画面（Ｇ２Ａ）には、「選曲」および「編集」の二つのメニュー項目（Ｋ２Ａ、Ｋ２Ｂ）が配列され、メニュー画面（Ｇ２Ｂ）には、「各種設定」及び「目的地」の二つメニュー項目（Ｋ２Ｃ、Ｋ２Ｄ）が配列されている。なお、以下の説明では、説明の簡略化のため、「編集」のメニュー項目Ｋ２Ｂに対応付けられたメニュー画面（図示せず）など、いくつかの説明を省略するが、それぞれのメニュー項目を選択することで、当該メニュー項目対応付けられたメニュー画面の表示又はナビゲーション装置１０における機能が実行される。
【００５２】
階層Ｋ２の下位の階層Ｋ３には、「選曲」のメニュー項目（Ｋ２Ａ）に対応付けられたメニュー画面（Ｇ３Ａ）及び「各種設定」のメニュー項目（Ｋ２Ｃ）に対応付けられたメニュー画面（Ｇ３Ｂ）があり、さらに、「目的地」のメニュー項目（Ｋ２Ｄ）に対応付けられたメニュー画面（Ｇ３Ｃ）がある。そして、メニュー画面（Ｇ３Ａ）には、「アルバム名」および「アーティスト名」の二つのメニュー項目（Ｋ３Ａ、Ｋ３Ｂ）が配列され、メニュー画面（Ｇ３Ｂ）には、「ランドマーク表示設定」及び「音量設定」の二つメニュー項目（Ｋ３Ｃ、Ｋ３Ｄ）が配列され、さらに、メニュー画面（Ｇ３Ｃ）には、「施設」および「住所」の二つのメニュー項目（Ｋ３Ｅ、Ｋ３Ｆ）が配列されている。
【００５３】
また、階層Ｋ４には、「アルバム名」のメニュー項目（Ｋ３Ａ）に対応付けられたメニュー画面（Ｇ４Ａ）及び「ランドマーク表示設定」のメニュー項目（Ｋ３Ｃ）に対応付けられたメニュー画面（Ｇ４Ｂ）があり、メニュー画面（Ｇ４Ａ）には、「アルバム＜１＞」および「アルバム＜２＞」の二つのメニュー項目（Ｋ４Ａ、Ｋ４Ｂ）が配列され、メニュー画面（Ｇ４Ｂ）には、「コンビニ」及び「ガソリンスタンド」の二つメニュー項目（Ｋ４Ｃ、Ｋ４Ｄ）が配列されている。
【００５４】
さらに、階層Ｋ５には、「アルバム＜１＞」のメニュー項目（Ｋ４Ａ）に対応付けられたメニュー画面（Ｇ５Ａ）及び「コンビニ」のメニュー項目（Ｋ４Ｃ）に対応付けられたメニュー画面（Ｇ５Ｂ）があり、メニュー画面（Ｇ５Ａ）には、「トラック＜１＞」および「トラック＜２＞」の二つのメニュー項目（Ｋ５Ａ、Ｋ５Ｂ）が配列され、メニュー画面（Ｇ５Ｂ）には、「コンビニ＜１＞」及び「コンビニ＜２＞」の二つメニュー項目（Ｋ５Ｃ、Ｋ５Ｄ）が配列されている。
【００５５】
なお、上述したとおり、メニュー項目には、「機能項目」と「階層項目」とがあり、図３における「機能項目」とは、メニュー項目Ｋ５Ａ（トラック＜１＞）、メニュー項目Ｋ５Ｂ（トラック＜２＞）、メニュー項目Ｋ５Ｃ（コンビニ＜１＞）、及びメニュー項目Ｋ５Ｄ（コンビニ＜２＞）であり、「階層項目」は、階層Ｋ１からＫ４に含まれる各種メニュー項目である。
【００５６】
ここで、図３を用いて、地図記憶手段１０２に記憶されたランドマークのうち、所望するコンビニの事業者（銘柄、ブランド）に該当するランドマークを表示する表示設定を行う場合について説明を行う。
【００５７】
ユーザは、入力手段１０５を操作して、メニュー項目Ｋ１Ｂ（メニュー）を選択する。この選択は、各種キーやリモコンに、メニュー項目Ｋ１Ｂ（メニュー）に対応するボタン又はキーが設けられており、当該ボタン又はキーを押下することにより選択される。また、表示手段１０６にタッチセンサを備えている場合、表示手段１０６に表示されているメニュー項目Ｋ１Ｂ（メニュー）に対応したアイコンをユーザが触れることで選択が行なわれる。
【００５８】
メニュー項目が選択されると、選択されたメニュー項目に応じた入力信号が発生し、当該入力信号に対応付けられた機能又はメニュー画面の表示が実行される。通常、選択されたメニュー項目が「階層項目」であれば、選択されたメニュー項目に対応付けられたメニュー画面が表示され、また、選択されたメニュー項目が「機能項目」であれば、選択されたメニュー項目に対応したナビゲーション装置１０の機能が実行される。今回のケースで言えば、メニュー項目Ｋ１Ｂ（メニュー）が選択された場合、画面生成手段１１３により、最上位のメニュー画面（Ｇ１Ａ）から、メニュー画面（Ｇ１Ａ）の下位の階層にあたるメニュー画面（Ｇ２Ｂ）に遷移するよう表示が切替えられる。
【００５９】
メニュー項目Ｋ１Ｂ（メニュー）が選択されたときに表示手段１０６に表示されるメニュー画面（Ｇ２Ｂ）の一例を図４に示す。図４に示すメニュー画面（Ｇ２Ｂ）は、１つ上位の階層、又は、操作・選択される前の状態へ戻る、戻るボタン４０１、メニュー項目Ｋ１Ｂ（メニュー）が選択されたことを示す、タイトル４０２、「各種設定」のメニュー項目４０３、「目的地」のメニュー項目４０４などで構成される。なお、図４のメニュー項目４０３は、図３の「各種設定」Ｋ２Ｃに対応しており、図４のメニュー項目４０４は、図３の「目的地」Ｋ２Ｄのメニュー項目に対応している。また、図３及び図４では、メニュー画面Ｇ２Ｂには、「各種設定」及び「目的地」のメニュー項目しかない例を示したが、この例に、限られることはなく、その他、複数のメニュー項目があってもよい。
【００６０】
次に、図３において、ユーザによりメニュー項目Ｋ２Ｃ（各種設定）が選択されると、メニュー項目Ｋ３Ｃ（ランドマーク表示設定）、及びメニュー項目Ｋ３Ｄ（音量設定）が配列されたメニュー画面（Ｇ３Ｂ）が表示手段１０６に表示され、メニュー項目Ｋ３Ｃ（ランドマーク表示設定）が選択されると、同様に、メニュー項目Ｋ４Ｃ（コンビニ）、及びメニュー項目Ｋ４Ｄ（ガソリンスタンド）が配列されたメニュー画面（Ｇ４Ｂ）が表示手段１０６に表示され、さらに、メニュー項目Ｋ４Ｃ（コンビニ）が選択されると、メニュー項目Ｋ５Ｃ（コンビニ＜１＞）及びメニュー項目Ｋ５Ｄ（コンビニ＜２＞）が配列されたメニュー画面（Ｇ５Ｂ）が表示手段１０６に表示される。そして、「コンビニ＜１＞」又は「コンビニ＜２＞」の何れかを選択すると、当該選択された「コンビニ＜１＞」又は「コンビニ＜２＞」に該当するランドマークが表示設定される。ここで、表示設定とは、選択されたメニュー項目に該当するランドマークを表示するか否かを切り換える設定であり、当該ランドマークを表示している状態で、メニュー項目が選択されると、当該ランドマークの表示を行なわないように設定し、当該ランドマークを表示していない状態で、メニュー項目が選択されると、当該ランドマークの表示を行なうように設定される。表示設定により、表示を行なうように設定されたランドマークは地図画像に重畳されて表示手段１０６に表示される。なお、上記例では、「コンビニ＜１＞」又は「コンビニ＜２＞」の何れかが選択されると、選択された「コンビニ＜１＞」又は「コンビニ＜２＞」に該当するランドマークが表示設定されたが、「コンビニ＜１＞」及び／又は「コンビニ＜２＞」が選択された後、メニュー画面（Ｇ５Ｂ）に配列された「ＯＫ」ボタン（図示せず）を選択することで、「コンビニ＜１＞」及び／又は「コンビニ＜２＞」に該当するランドマークが表示設定されてもよい。
【００６１】
以上のように、所望の施設のランドマークを表示する場合などは、最上位の階層Ｋ１から最下位の階層Ｋ５まで複数の階層において選択を行う必要があり、多回数の操作を必要としてしまう。このような多回数の操作を走行中に行ってしまうと、車両の前方確認が疎かになってしまう。そのため、走行中では、操作回数の低減が望まれる。
【００６２】
そこで、本願発明では、停車判定手段１０８により、停車中でないと判定された場合、すなわち、車両が走行中と判定された場合、階層制限手段１０９が階層を制限する処理を行なうことで、操作回数を低減させる。
【００６３】
まず、図２を用いて本発明の実施例にかかるナビゲーション装置１０の制御動作を説明する。
【００６４】
ユーザにより、入力手段１０５を介して電源ＯＮがされると、まず、現在位置検出手段１０１により現在位置が検出される（ステップＳ２０１）。次に、画面生成手段１１３により、現在位置に基づいた地図情報が地図記憶手段１０２から読み出されて、地図情報に基づいた地図画像が現在位置を示すマークと共に表示手段１０６に表示される（ステップＳ２０２）。
【００６５】
次に、停車判定手段１０８により、車両が停車しているか否かが判定される（ステップＳ２０３）。ステップＳ２０３の処理において、車両が停車していると判定された場合（ステップＳ２０３のＹＥＳ）、ステップＳ２０５の処理へ進み、ナビゲーション装置１０の電源がＯＦＦされたか否かを判定し、電源がＯＦＦされると（ステップＳ２０５のＹＥＳ）、処理を終了し、電源がＯＦＦされていなければ（ステップＳ２０５のＮＯ）、ステップＳ２０１の処理に戻る。なお、ステップＳ２０５であるか否かに係らずナビゲーション装置１０の電源がＯＦＦされた場合には処理を終了する。
【００６６】
次に、ステップＳ２０３の処理において、車両が停車していないと判定された場合（ステップＳ２０３のＮＯ）、つまり車両が走行中であると判定された場合はステップＳ２０４の処理に進み、階層制限手段１０９による階層制限が行なわれ（ステップＳ２０４）、ステップＳ２０５の処理へ進む。
【００６７】
ここで、ステップＳ２０４の処理における階層制限手段１０９による階層制限について、説明を行う。まず、メニュー項目は、上述の通り、階層項目と機能項目に分類される。例えば、図３におけるメニュー項目Ｋ４Ａ（アルバム＜１＞）が選択された場合のメニュー画面（Ｇ５Ａ）を図５に示す。図５に示すメニュー画面（Ｇ５Ａ）は、図４と同様に、戻るボタン５０１、タイトル５０２、さらに、メニュー項目Ｋ５Ａ（トラック＜１＞）及びメニュー項目Ｋ５Ｂ（トラック＜２＞）（図５−５０３、５０４）から構成されている。停車時、メニュー項目Ｋ５Ａ（トラック＜１＞）が選択されると、楽曲再生手段１１１により楽曲記憶手段１１０に記憶されている楽曲の名称がトラック＜１＞の楽曲データが再生され、音声出力手段１０７を介して音声出力される。
【００６８】
そして、停車判定手段１０８により停車中でないと判定された場合に、階層項目が選択された場合、階層制限手段１０９は、選択された階層項目に対応付けられたメニュー画面の表示ではなく、当該階層項目に対応付けられたメニュー画面に含まれる機能項目が選択されたものとして取り扱うことにより、階層の制限を行なう。すなわち、図３において、メニュー項目Ｋ４Ａ（アルバム＜１＞）が選択された場合に、走行中であれば、図５に示すメニュー画面（Ｇ５Ａ）の表示（メニュー項目Ｋ５Ａ（トラック＜１＞）及びメニュー項目Ｋ５Ｂ（トラック＜２＞）が配列されたメニュー画面の表示）ではなく、楽曲記憶手段１１０に記憶されている楽曲データのうち、アルバム名がアルバム＜１＞の楽曲データ、例えば、タイトル名称順で一番上位のトラック＜１＞の楽曲データが楽曲再生手段１１１により再生され、音声出力手段１０７を介して音声出力される。
【００６９】
つまり、停車中であれば、操作されることにより、操作されたメニュー項目に対応付けられたメニュー画面を表示する階層項目が、走行中であれば、機能を実行するための機能項目として扱われる。
【００７０】
なお、ここで、再生される楽曲データは「トラック＜１＞」の楽曲データに限らない。例えば、アルバム＜１＞に含まれる楽曲データのうち、すなわち、アルバム名がアルバム＜１＞の楽曲データのうち、再生回数が最も多い楽曲データや、楽曲データに含まれる再生時間が一番短い楽曲データや、楽曲記憶手段１１０に最初又は最後に記憶された記憶された楽曲データなど、種々の方法で再生される楽曲データを選択することができる。そして、例えば、再生回数が多い順や、再生時間が短い順、記憶された順で楽曲データが再生されていく。
【００７１】
ここで、階層制限手段１０９による階層制限について、他の実施形態について説明を行う。停車判定手段１０８により停車中でないと判定された場合に、図３において、メニュー項目Ｋ４Ｃ（コンビニ）が選択された場合、施設の種別がコンビニである施設の事業社に対してランドマークの表示設定が行なわれる。例えば、施設の種別がコンビニである全ての施設の事業社（コンビニ＜１＞、コンビニ＜２＞）に対して、表示するように設定、或いは、表示しないように設定される。その他にも、表示設定回数が多い施設の事業社、例えば、コンビニ＜１＞のみ表示設定が行なわれてもよい。
【００７２】
また、階層制限手段１０９による階層制限の他の実施形態として、例えば、図３において、メニュー項目Ｋ２Ａ（選曲）に対応付けられたメニュー画面（Ｇ２Ａ）に「全曲」というメニュー項目（図示せず）が含まれる場合について説明を行う。「全曲」のメニュー項目は、「トラック＜１＞」及び「トラック＜２＞」（Ｋ５Ａ、Ｋ５Ｂと同一の機能項目）などの機能項目が配列されたメニュー画面（図示せず）に対応付けられている。すなわち、停車中に「全曲」のメニュー項目を選択すると、当該メニュー画面が表示され、楽曲記憶手段１１０に記憶された全ての楽曲データ毎に対応する機能項目を選択することが可能となる。
【００７３】
ここで、「全曲」のメニュー項目が選択された場合に、走行中であれば、楽曲記憶手段１１０に記憶されている楽曲データが楽曲再生手段１１１により再生され、音声出力手段１０７を介して音声出力される。なお、再生される楽曲データは上述の通り「トラック＜１＞」に限定されない。
【００７４】
すなわち、停車中に「全曲」のメニュー項目が選択された場合は、階層項目として「全曲」のメニュー項目に対応付けられたメニュー画面の表示が行なわれるが、走行中であれば、機能項目として、楽曲データの再生が行われる。
【００７５】
さらに、階層制限手段１０９による階層制限の他の実施形態として、例えば、図３において、メニュー項目Ｋ３Ｂ（アーティスト名）に対応付けられたメニュー画面（図示せず）にアーティスト名を示す「アーティスト＜１＞」及び「アーティスト＜２＞」というメニュー項目（図示せず）が含まれ、さらに、「アーティスト＜１＞」の階層項目に対応付けられたメニュー画面（図示せず）に「アルバム＜１＞」及び「アルバム＜２＞」というメニュー項目（図示せず）が含まれる場合について説明を行う。なお、「アルバム＜１＞」のメニュー項目からは、図３の「アルバム＜１＞」Ｋ４Ａに対応付けられたメニュー画面（Ｇ５Ａ）のように、「トラック＜１＞」及び「トラック＜２＞」のメニュー項目（機能項目）を含むメニュー画面（図示せず）が対応付けられている。なお、「アーティスト＜１＞」の階層項目にメニュー画面Ｇ４Ａが対応付けられていてもよい。
【００７６】
ここで、「アーティスト＜１＞」のメニュー項目が選択され、「アルバム＜１＞」のメニュー項目が選択された場合、走行中であれば、例えば、「トラック＜１＞」の楽曲データが楽曲再生手段１１１により再生され、音声出力手段１０７を介して音声出力される。すなわち、アルバム＜１＞に該当する楽曲データが再生される。なお、再生される楽曲データは上述の通り「トラック＜１＞」に限定されない。
【００７７】
また、「アーティスト＜１＞」のメニュー項目が選択された場合、走行中であれば、例えば、「トラック＜１＞」の楽曲データが楽曲再生手段１１１により再生され、音声出力手段１０７を介して音声出力される。すなわち、アーティスト＜１＞に該当する楽曲データが再生される。なお、再生される楽曲データは上述の通り「トラック＜１＞」に限定されない。
【００７８】
以上のように、本発明では、車両が走行中においては、階層制限手段１０９による階層制限、すなわち、停車中であれば、操作されることにより、操作されたメニュー項目に対応付けられたメニュー画面を表示する階層項目が、走行中であれば、機能を実行するための機能項目として扱われるため、ユーザが操作を行う回数を低減させることができ、車両の前方確認が疎かになってしまうことを防止することができる。
【符号の説明】
【００７９】
１０      ナビゲーション装置
１００    制御手段
１０１    現在位置検出手段
１０２    地図記憶手段
１０３    経路探索手段
１０４    経路案内手段
１０５    入力手段
１０６    表示手段
１０７    音声出力手段
１０８    停車判定手段
１０９    階層制限手段
１１０    楽曲記憶手段
１１１    楽曲再生手段
１１２    メニュー画面記憶手段
１１３    画面生成手段
【図１】
2011174815.tif 000003
【図２】
2011174815.tif 000004
【図３】
2011174815.tif 000005
【図４】
2011174815.tif 000006
【図５】
2011174815.tif 000007